(57)【要約】【課題】  通信機器の異常によりＷＡＮ側のネットワークが切断状態となった場合に、通信異常であることを警備端末が検知し、通信機器の再起動を行い自動でＷＡＮ側のネットワークへの接続を復旧でき、ネットワーク復旧までの対処時間や、運用コストといったユーザの負担の削減に繋がる警備システムを提供することにある。【解決手段】  警備端末が、グローバルＩＰアドレスによる通信の異常の有無を監視するＷＡＮ側監視手段と、リレーに接点信号を出力する電源用接点出力手段とを有し、ＷＡＮ側監視手段が通信の異常を検出したとき、電源用接点出力手段がリレーに接続断の接点信号を出力し、所定時間経過後、接続の接点信号を出力し、電源の入り切りにより通信機器を再起動させることを特徴とする。【選択図】図１
2008269252.tif 000002
【特許請求の範囲】
【請求項１】
警備対象施設の警備状況をインターネット等の電気通信回線を介して送信する警備システムにおいて、
該警備対象施設外の通信端末とグローバルＩＰアドレスを用いて通信を行う通信機器と、
該通信機器へ電源を供給する電源機器と、
該通信機器と該電源機器との間に設けられ、該通信機器への電源の入り切りを行うリレーと、
該警備対象施設を監視する警備端末とを備え、
警備端末が、
該グローバルＩＰアドレスによる通信の異常の有無を監視するＷＡＮ側監視手段と、
該リレーに接点信号を出力する電源用接点出力手段とを有し、
該ＷＡＮ側監視手段が通信の異常を検出したとき、該電源用接点出力手段が該リレーに接続断の接点信号を出力し、所定時間経過後、接続の接点信号を出力し、該電源の入り切りにより該通信機器を再起動させることを特徴とする警備システム。
【請求項２】
前記警備端末が、前記通信機器であるＵＰｎＰ対応ルータへのアクセスによるグローバルＩＰアドレス取得手段を備え、
前記ＷＡＮ側監視手段が、該グローバルＩＰアドレスの取得の可否により通信の異常を監視することを特徴とする請求項１記載の警備システム。
【請求項３】
前記警備端末が、グローバルＩＰアドレス取得サーバへのアクセスによるグローバルＩＰアドレス取得手段を備え、
前記ＷＡＮ側監視手段が、該グローバルＩＰアドレスの取得の可否により通信の異常を監視することを特徴とする請求項１記載の警備システム。
【発明の詳細な説明】
【技術分野】
【０００１】
本発明は、警備対象施設の警備状況をインターネット等の電気通信回線を介して送信する警備システムに関する。
【背景技術】
【０００２】
従来より、一般の家庭や店舗、工場等の警備対象施設側に、異常を検知するセンサを設け、異常の情報を警備端末を介してセンタ装置や各種端末装置等の通報先に通報する警備システムが用いられている。この従来の警備システムにおいては、ルータやモデム等の通信機器に異常が発生すると、警備端末と通信端末とが通信できない状態となる問題がある。特に、警備端末の設置先にある通信機器の異常で通信ができなくなった場合、警備端末の設置現場に人員を派遣させ、通信機器の再起動などの処置をとる必要があり、早急な通信状態の復旧を望む状況において対処時間及び人員コストも掛かってしまう。
【０００３】
このような問題を解決する方法として、例えば、特許文献１に示される方法がある。特許文献１の監視装置では、ＬＡＮ内のルータ含むネットワーク構成要素が持つプライベートＩＰアドレスにＰＩＮＧ送信することで通信状態を監視するようにしている。この監視装置が通信異常を検知した際に、通信機器の再起動を行うことが可能な機器も実用化されている。
【特許文献１】特開２００２−１１１６６５号公報
【発明の開示】
【発明が解決しようとする課題】
【０００４】
しかしながら、警備端末の場合は、ＬＡＮ内のネットワークの切断を検知するだけでは、ＷＡＮ側の通信端末との通信の切断を検知することができない。また、ＬＡＮ内のネットワークの切断ではなくＷＡＮ側の切断を検知するためには、グローバルＩＰアドレスを用いた確認を行う必要があるが、固定グローバルＩＰアドレスを持つ専用サーバの設置は運用コストが掛かってしまう。
【０００５】
本発明は、このような事情に鑑みてなされたもので、通信機器の異常によりＷＡＮ側のネットワークが切断状態となった場合に、通信異常であることを警備端末が検知し、通信機器の再起動を行い自動でＷＡＮ側のネットワークへの接続を復旧でき、ネットワーク復旧までの対処時間や、運用コストといったユーザの負担の削減に繋がる警備システムを提供することにある。
【課題を解決するための手段】
【０００６】
請求項１記載の警備システムは、警備対象施設外の通信端末とグローバルＩＰアドレスを用いて通信を行う通信機器と、通信機器へ電源を供給する電源機器と、通信機器と電源機器との間に設けられ、通信機器への電源の入り切りを行うリレーと、警備対象施設を監視する警備端末とを備え、警備端末が、グローバルＩＰアドレスによる通信の異常の有無を監視するＷＡＮ側監視手段と、リレーに接点信号を出力する電源用接点出力手段とを有し、ＷＡＮ側監視手段が通信の異常を検出したとき、電源用接点出力手段がリレーに接続断の接点信号を出力し、所定時間経過後、接続の接点信号を出力し、電源の入り切りにより通信機器を再起動させることを特徴とする。
【０００７】
請求項２記載の警備システムは、警備端末が、ＵＰｎＰ対応ルータへのアクセスによるグローバルＩＰアドレス取得手段を備え、ＷＡＮ側監視手段が、グローバルＩＰアドレスの取得の可否により通信の異常を監視することを特徴とする。
【０００８】
請求項３記載の警備システムは、警備端末が、グローバルＩＰアドレス取得サーバへのアクセスによるグローバルＩＰアドレス取得手段を備え、ＷＡＮ側監視手段が、グローバルＩＰアドレスの取得の可否により通信の異常を監視することを特徴とする。
【発明の効果】
【０００９】
請求項１の発明によれば、ＷＡＮ側監視手段が通信の異常を検出したとき、電源用接点出力手段がリレーに接続断の接点信号を出力し、所定時間経過後、接続の接点信号を出力し、電源の入り切りにより通信機器を再起動させることから、通信機器の異常によりＷＡＮ側のネットワークが切断状態となった場合に、通信異常であることを警備端末が検知し、通信機器の再起動を行い自動でＷＡＮ側のネットワークへの接続を復旧でき、ネットワーク復旧までの対処時間や、運用コストといったユーザの負担の削減に繋がる。
【００１０】
請求項２の発明によれば、警備端末が、通信機器であるＵＰｎＰ対応ルータへのアクセスによるグローバルＩＰアドレス取得手段を備え、ＷＡＮ側監視手段が、グローバルＩＰアドレスの取得の可否により通信の異常を監視することから、ルータのグローバルＩＰアドレス取得失敗が原因としても、通信異常であることを警備端末が検知し、通信機器の再起動を行い自動でＷＡＮ側のネットワークへの接続を復旧でき、ネットワーク復旧までの対処時間や、運用コストといったユーザの負担の削減に繋がる。
【００１１】
請求項３の発明によれば、警備端末が、グローバルＩＰアドレス取得サーバへのアクセスによるグローバルＩＰアドレス取得手段を備え、ＷＡＮ側監視手段が、グローバルＩＰアドレスの取得の可否により通信の異常を監視することから、グローバルＩＰアドレス取得失敗が原因としても、通信異常であることを警備端末が検知し、通信機器の再起動を行い自動でＷＡＮ側のネットワークへの接続を復旧でき、ネットワーク復旧までの対処時間や、運用コストといったユーザの負担の削減に繋がる。
【発明を実施するための最良の形態】
【００１２】
以下、本発明の形態について図面を参照しながら具体的に説明する。図１は、本発明に係る警備システムの一例を示す構成図である。図２は、同警備システムのＰＩＮＧ送受信による動作を示すタイミングチャートである。
【００１３】
図１における警備システム１は、一般の家庭や店舗、工場等の警備対象施設の警備状況を、電気通信回線でありインターネット等であるＩＰ通信網５を介して通信端末に送信するものである。警備システム１は、ＩＰ通信網５と通信を行う通信機器３、通信機器３へ電源を供給する電源機器２０、警備対象施設を監視する警備端末１０等から構成されている。
【００１４】
ＩＰ通信網５は、警備対象施設外の通信端末と警備端末１０とが通信するための電気通信回線で、光回線、アナログ加入回線、ＩＳＤＮ回線、ＤｏＰａ回線、携帯電話網、ＰＨＳ網等である。尚、ＩＰ通信網５の使い方としては、インターネットを介した接続の他、Ｐｏｉｎｔ  ｔｏ  Ｐｏｉｎｔのダイヤルをして通信を行うようなデータ通信であってもよい。また、ＩＰ通信網５に接続される通信機器３は、ルータ、ターミナルアダプタ等の機器で、ＩＰ通信網５を介してＷＡＮ（Wide Area Network）側に接続する機能を有しているものである。より具体的には、ＵＰｎＰ対応ルータのようなＩＧＤ（Internet Gateway Device）等である。
【００１５】
警備端末１０は、図示しないセンサ等の情報を入力処理したり、通信に関する各種の処理を行う処理部１２と、通信機器３を介してＷＡＮ側やＬＡＮ側とＰＩＮＧを送受信するＰＩＮＧ送受信部１３と、プライベートＩＰアドレスやグローバルＩＰアドレスを管理するアドレス管理部１４と、後述するリレーに接点出力を出力する接点出力部１５等から構成されている。
【００１６】
また、通信機器３に電源を供給する電源機器２０が設けられているが、その通信機器３と電源機器２０との間には、リレー２２が設けられている。リレー２２の接点は、通信機器３と電源機器２０との間に設けられ、通信機器３への電源供給を入り切りできるようになっている。また、このリレー２２の接点は、警備端末１０の接点出力部１５の接点出力信号により制御されている。
【００１７】
以上のように構成された警備システム１の動作を説明する。まず、ＬＡＮ側の通信に異常が無いか確認するためには、図２に示すように、警備端末１０のＰＩＮＧ送受信部１３が、プライベートＩＰアドレスを用いて通信機器３にＰＩＮＧを送信する。ＰＩＮＧを受け取った通信機器３は、その応答を警備端末１０のＰＩＮＧ送受信部１３に送る。この応答をＰＩＮＧ送受信部１３が受け取ることにより、ＬＡＮ側の通信に関して通信機器３が正常に動作していると判断する。
【００１８】
しかし、通信機器３がフリーズ等により正常に動作せず、警備端末１０からプライベートＩＰアドレスにより通信機器３に対して複数回ＰＩＮＧを送信しても応答が無い場合には、警備端末１０は、通信機器３に異常が生じていると判定する。そして、通信機器３の異常を検知すると、警備端末１０は、再起動信号として、接点出力部１５からリレー２２の接点の接続断の接点信号を出力する。これにより、リレー２２の接点が開放され、電源機器２０から通信機器３への電源供給が絶たれ、通信機器３は動作を完全に停止する。次に、所定時間経過後、警備端末１０の接点出力部１５は、リレー２２の接点の接続の接点信号を出力する。これにより、再び通信機器３に電源供給がなされ、通信機器３は再起動することになる。尚、接点出力部１５は接続断の接点信号と接続の接点信号とを出力する間隔は、通信機器３が再起動するのに十分な時間である。
【００１９】
また、ＷＡＮ側の手段（図２では、ＩＳＰ（Internet Services Provider）７とした）との間の通信に異常が無いか確認するためには、ＬＡＮ側の場合と同様にＰＩＮＧを用いることができる場合がある。例えば、ＩＳＰ７のグローバルＩＰアドレスを警備端末１０のアドレス管理部１４が予め把握しており、通信機器３が自身のグローバルＩＰアドレスを用いてＩＳＰにアクセスできる場合には、図２に示すように、警備端末１０のＰＩＮＧ送受信部１３が、グローバルＩＰアドレスを用いてＩＳＰ７にＰＩＮＧを送信する。このＰＩＮＧは、通信機器３及びＩＰ通信網５を介してＩＳＰ７に送られることになる。ＰＩＮＧを受け取ったＩＳＰ７は、その応答をＩＰ通信網５及び通信機器３を介して警備端末１０のＰＩＮＧ送受信部１３に送る。この応答をＰＩＮＧ送受信部１３が受け取ることにより、ＷＡＮ側の通信に関して通信機器３が正常に動作していると判断する。
【００２０】
しかし、通信機器３がフリーズ等により正常に動作せず、警備端末１０からＩＳＰ７に対して複数回ＰＩＮＧを送信しても応答が無い場合には、警備端末１０は、通信機器３に異常が生じていると判定する。そして、通信機器３の異常を検知すると、警備端末１０は、再起動信号として、接点出力部１５からリレー２２の接点の接続断の接点信号を出力する。これにより、リレー２２の接点が開放され、電源機器２０から通信機器３への電源供給が絶たれ、通信機器３は動作を完全に停止する。次に、所定時間経過後、警備端末１０の接点出力部１５は、リレー２２の接点の接続の接点信号を出力する。これにより、再び通信機器３に電源供給がなされ、通信機器３は再起動することになる。尚、接点出力部１５は接続断の接点信号と接続の接点信号とを出力する間隔は、通信機器３が再起動するのに十分な時間である。
【００２１】
以上のように、ＷＡＮ側のネットワークを監視する構成（ＷＡＮ側監視手段）が通信の異常を検出したとき、電源用接点出力手段である接点出力部１５がリレー２２に接続断の接点信号を出力し、所定時間経過後、接続の接点信号を出力し、電源の入り切りにより通信機器３を再起動させることから、通信機器３の異常によりＷＡＮ側のネットワークが切断状態となった場合に、通信異常であることを警備端末１０が検知し、通信機器３の再起動を行い自動でＷＡＮ側のネットワークへの接続を復旧でき、ネットワーク復旧までの対処時間や、運用コストといったユーザの負担の削減に繋がる。尚、ＬＡＮ側のプライベートＩＰアドレスによる確認とグローバルＩＰアドレスによる確認で、少なくとも一方で異常が生じていると判断した場合に、通信機器３の再起動を行うこととなる。
【００２２】
次に、ＰＩＮＧによらないＷＡＮ側の通信機器３の通信に異常が無いか確認するための方法を説明する。まず、警備システム１の通信機器３がＵＰｎＰ対応ルータ（ＩＧＤ）の場合を、図３により説明する。まず、警備端末１０のアドレス管理部１４が、通信機器３であるＩＧＤにグローバルＩＰアドレスの問い合わせを行う。グローバルＩＰアドレスの問い合わせを受けた通信機器３は、グローバルＩＰアドレスを警備端末１０に通知する。また、途中でＩＳＰ７からグローバルＩＰアドレスの変更がなされた場合は、通信機器３は、警備端末１０からの次の問い合わせの時に、変更されたグローバルＩＰアドレスを警備端末３に通知する。このように、警備端末１０は、グローバルＩＰアドレスの問い合わせに対して通信機器３からグローバルＩＰアドレスの通知を受け取ることにより、通信機器３が正常にグローバルＩＰアドレスを取得していることでＷＡＮ側の通信に関して通信機器３が正常に動作していると判断する。
【００２３】
しかし、通信機器３がフリーズ等により正常に動作せずグローバルＩＰアドレスを取得しておらず、警備端末１０から通信機器３に対して複数回問い合わせを送信しても応答が無い場合には、警備端末１０は、通信機器３に異常が生じていると判定する。そして、通信機器３の異常を検知すると、警備端末１０は、再起動信号として、接点出力部１５からリレー２２の接点の接続断の接点信号を出力する。これにより、リレー２２の接点が開放され、電源機器２０から通信機器３への電源供給が絶たれ、通信機器３は動作を完全に停止する。次に、所定時間経過後、警備端末１０の接点出力部１５は、リレー２２の接点の接続の接点信号を出力する。これにより、再び通信機器３に電源供給がなされ、通信機器３は再起動することになる。尚、接点出力部１５は接続断の接点信号と接続の接点信号とを出力する間隔は、通信機器３が再起動するのに十分な時間である。
【００２４】
以上のように、警備端末１０が、通信機器３であるＵＰｎＰ対応ルータ（ＩＧＤ）へのアクセスによるグローバルＩＰアドレス取得手段であるアドレス管理部１４を備え、ＷＡＮ側のネットワークを監視する構成（ＷＡＮ側監視手段）が、グローバルＩＰアドレスの取得の可否により通信の異常を監視することから、ルータのグローバルＩＰアドレス取得失敗が原因としても、通信異常であることを警備端末１０が検知し、通信機器３の再起動を行い自動でＷＡＮ側のネットワークへの接続を復旧でき、ネットワーク復旧までの対処時間や、運用コストといったユーザの負担の削減に繋がる。
【００２５】
次に、ＰＩＮＧによらないＷＡＮ側の通信機器３の通信に異常が無いか確認するための他の方法を説明する。警備システム１の通信機器３がＩＰ通信網５を介してグローバルＩＰアドレス取得サーバ８へアクセスする場合を、図４により説明する。まず、警備端末１０のアドレス管理部１４が、通信機器３及びＩＰ通信網５を介して、グローバルＩＰアドレス取得サーバ８に接続を試みる。接続を受けたグローバルＩＰアドレス取得サーバ８は、グローバルＩＰアドレスを警備端末１０に通知する。また、途中で警備端末１０のグローバルＩＰアドレスの変更がなされた場合、グローバルＩＰアドレス取得サーバ８は、警備端末１０からの次の接続の時に、変更されたグローバルＩＰアドレスを警備端末１０に通知する。このように、警備端末１０は、グローバルＩＰアドレス取得サーバ８への接続に対してグローバルＩＰアドレス取得サーバ８からグローバルＩＰアドレスの通知を受け取ることにより、正常にグローバルＩＰアドレスを取得していることでＷＡＮ側の通信に関して通信機器３が正常に動作していると判断する。
【００２６】
しかし、通信機器３がフリーズ等により正常に動作せずグローバルＩＰアドレスの通知がなされず、警備端末１０からグローバルＩＰアドレス取得サーバ８に対して複数回接続を試みても応答が無い場合には、警備端末１０は、通信機器３に異常が生じていると判定する。そして、通信機器３の異常を検知すると、警備端末１０は、再起動信号として、接点出力部１５からリレー２２の接点の接続断の接点信号を出力する。これにより、リレー２２の接点が開放され、電源機器２０から通信機器３への電源供給が絶たれ、通信機器３は動作を完全に停止する。次に、所定時間経過後、警備端末１０の接点出力部１５は、リレー２２の接点の接続の接点信号を出力する。これにより、再び通信機器３に電源供給がなされ、通信機器３は再起動することになる。尚、接点出力部１５は接続断の接点信号と接続の接点信号とを出力する間隔は、通信機器３が再起動するのに十分な時間である。
【００２７】
以上のように、警備端末１０が、グローバルＩＰアドレス取得サーバ８へのアクセスによるグローバルＩＰアドレス取得手段であるアドレス管理部１４を備え、ＷＡＮ側のネットワークを監視する構成（ＷＡＮ側監視手段）が、グローバルＩＰアドレスの取得の可否により通信の異常を監視することから、グローバルＩＰアドレス取得失敗が原因としても、通信異常であることを警備端末１０が検知し、通信機器３の再起動を行い自動でＷＡＮ側のネットワークへの接続を復旧でき、ネットワーク復旧までの対処時間や、運用コストといったユーザの負担の削減に繋がる。
【産業上の利用可能性】
【００２８】
以上のように、本発明によれば、通信機器の異常によりＷＡＮ側のネットワークが切断状態となった場合に、通信異常であることを警備端末が検知し、通信機器の再起動を行い自動でＷＡＮ側のネットワークへの接続を復旧でき、ネットワーク復旧までの対処時間や、運用コストといったユーザの負担の削減に繋がる警備システムを提供することができる。
【図面の簡単な説明】
【００２９】
【図１】本発明に係る警備システムの一例を示す構成図である。
【図２】同警備システムのＰＩＮＧ送受信による動作を示すタイミングチャートである。
【図３】同警備システムの通信機器がＩＧＤの場合の動作を示すタイミングチャートである。
【図４】同警備システムのグローバルＩＰアドレス取得サーバと通信する場合の動作を示すタイミングチャートである。
【符号の説明】
【００３０】
１・・・・警備システム
３・・・・通信機器
５・・・・ＩＰ通信網
７・・・・ＩＳＰ
８・・・・グローバルＩＰアドレス取得サーバ
１０・・・警備端末
１２・・・処理部
１３・・・ＰＩＮＧ送受信部
１４・・・アドレス管理部
１５・・・接点出力部
２０・・・電源機器
２２・・・リレー
【図１】
2008269252.tif 000003
【図２】
2008269252.tif 000004
【図３】
2008269252.tif 000005
【図４】
2008269252.tif 000006